(57)【要約】【課題】ブロンズ現象の発生を十分に防止・抑制することができるインク、インクジェット記録方法およびインクジェット記録装置を提供すること。【解決手段】本発明のインクは、色材と、前記色材を溶解または分散させる液媒体と、少なくとも１種の多環芳香族ヘテロ共役系化合物とを含むことを特徴とする。多環芳香族ヘテロ共役系化合物は、前記色材の結晶性を低下させる機能を有するものである。インク中における多環芳香族ヘテロ共役系化合物の含有量は、０．０５〜１．０ｗｔ％である。多環芳香族ヘテロ共役系化合物の平均分子量Ｍｗは、１５０〜５００である。色材は、フタロシアニン系化合物を含むものである。インク中における色材の含有量は、１〜１０ｗｔ％であるのが好ましい。また、インクから液媒体を除去した場合、多環芳香族ヘテロ共役系化合物が色材の分子間に介挿するように存在する。【選択図】なし【特許請求の範囲】
【請求項１】
色材と、前記色材を溶解または分散させる液媒体とを含むインクであって、
炭素原子と、炭素原子以外のヘテロ原子とを含む共役系を有し、かつ、芳香環を複数個有する多環芳香族ヘテロ共役系化合物を含むことを特徴とするインク。
【請求項２】
前記多環芳香族ヘテロ共役系化合物は、下記式（Ｉ）〜（ＸＩＩ）からなる群より選択される少なくとも１種の化学構造を有するものである請求項１に記載のインク。
2004067903.tif 000053
2004067903.tif 000054
2004067903.tif 000055
2004067903.tif 000056
2004067903.tif 000057
2004067903.tif 000058
2004067903.tif 000059
2004067903.tif 000060
2004067903.tif 000061
2004067903.tif 000062
2004067903.tif 000063
2004067903.tif 000064
【請求項３】
前記多環芳香族ヘテロ共役系化合物の含有量が０．０５〜１．０ｗｔ％である請求項１または２に記載のインク。
【請求項４】
前記多環芳香族ヘテロ共役系化合物の平均分子量Ｍｗは、１５０〜５００である請求項１ないし３のいずれかに記載のインク。
【請求項５】
前記多環芳香族ヘテロ共役系化合物は、実質的に無色、黄系色または前記色材と同系色のものである請求項１ないし４のいずれかに記載のインク。
【請求項６】
前記多環芳香族ヘテロ共役系化合物は、前記色材の結晶性を低下させる機能を有するものである請求項１ないし５のいずれかに記載のインク。
【請求項７】
前記色材は、フタロシアニン系化合物を含むものである請求項１ないし６のいずれかに記載のインク。
【請求項８】
前記色材の含有量が１〜１０ｗｔ％である請求項１ないし７のいずれかに記載のインク。
【請求項９】
前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する請求項１ないし８のいずれかに記載のインク。
【請求項１０】
前記液媒体を除去した状態において、前記多環芳香族ヘテロ共役系化合物が前記色材の分子間に介挿するように存在する請求項１ないし９のいずれかに記載のインク。
【請求項１１】
インクジェット記録方法に用いられる請求項１ないし１０のいずれかに記載のインク。
【請求項１２】
インクをインク滴として吐出させて記録を行うインクジェット記録方法であって、
前記インクが、色材と、前記色材を溶解または分散させる液媒体とを含み、さらに、炭素原子と炭素原子以外のヘテロ原子とを含む共役系を有し、かつ、芳香環を複数個有する多環芳香族ヘテロ共役系化合物を含むものであることを特徴とするインクジェット記録方法。
【請求項１３】
前記インク滴の平均粒量が５０ｐｌ以下である請求項１２に記載のインクジェット記録方法。
【請求項１４】
前記多環芳香族ヘテロ共役系化合物は、下記式（Ｉ）〜（ＸＩＩ）からなる群より選択される少なくとも１種の化学構造を有するものである請求項１２または１３に記載のインクジェット記録方法。
2004067903.tif 000065
2004067903.tif 000066
2004067903.tif 000067
2004067903.tif 000068
2004067903.tif 000069
2004067903.tif 000070
2004067903.tif 000071
2004067903.tif 000072
2004067903.tif 000073
2004067903.tif 000074
2004067903.tif 000075
2004067903.tif 000076
【請求項１５】
前記インク中における前記多環芳香族ヘテロ共役系化合物の含有量が０．０５〜１．０ｗｔ％である請求項１２ないし１４のいずれかに記載のインクジェット記録方法。
【請求項１６】
前記多環芳香族ヘテロ共役系化合物の平均分子量Ｍｗは、１５０〜５００である請求項１２ないし１５のいずれかに記載のインクジェット記録方法。
【請求項１７】
前記多環芳香族ヘテロ共役系化合物は、実質的に無色、黄系色または前記色材と同系色のものである請求項１２ないし１６のいずれかに記載のインクジェット記録方法。
【請求項１８】
前記多環芳香族ヘテロ共役系化合物は、前記色材の結晶性を低下させる機能を有するものである請求項１２ないし１７のいずれかに記載のインクジェット記録方法。
【請求項１９】
前記色材は、フタロシアニン系化合物を含むものである請求項１２ないし１８のいずれかに記載のインクジェット記録方法。
【請求項２０】
前記インク中における前記色材の含有量が１〜１０ｗｔ％である請求項１２ないし１９のいずれかに記載のインクジェット記録方法。
【請求項２１】
前記インク中における前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する請求項１２ないし２０のいずれかに記載のインクジェット記録方法。
【請求項２２】
吐出された前記インクから前記液媒体を除去した後、前記多環芳香族ヘテロ共役系化合物が前記色材の分子間に介挿するように存在する請求項１２ないし２１のいずれかに記載のインクジェット記録方法。
【請求項２３】
インクを収容するインク収容部と、前記インクをインク液として吐出させる吐出部とを有するインクジェット記録装置であって、
前記インクが、色材と、前記色材を溶解または分散させる液媒体とを含み、さらに、炭素原子と炭素原子以外のヘテロ原子とを含む共役系を有し、かつ、芳香環を複数個有する多環芳香族ヘテロ共役系化合物を含むものであることを特徴とするインクジェット記録装置。
【請求項２４】
前記吐出部は、略円形状をなすものであり、その直径が１０〜５０μｍである請求項２３に記載のインクジェット記録装置。
【請求項２５】
前記多環芳香族ヘテロ共役系化合物は、下記式（Ｉ）〜（ＸＩＩ）からなる群より選択される少なくとも１種の化学構造を有するものである請求項２３または２４に記載のインクジェット記録装置。
2004067903.tif 000077
2004067903.tif 000078
2004067903.tif 000079
2004067903.tif 000080
2004067903.tif 000081
2004067903.tif 000082
2004067903.tif 000083
2004067903.tif 000084
2004067903.tif 000085
2004067903.tif 000086
2004067903.tif 000087
2004067903.tif 000088
【請求項２６】
前記インク中における前記多環芳香族ヘテロ共役系化合物の含有量が０．０５〜１．０ｗｔ％である請求項２３ないし２５のいずれかに記載のインクジェット記録装置。
【請求項２７】
前記多環芳香族ヘテロ共役系化合物の平均分子量Ｍｗは、１５０〜５００である請求項２３ないし２６のいずれかに記載のインクジェット記録装置。
【請求項２８】
前記多環芳香族ヘテロ共役系化合物は、実質的に無色、黄系色または前記色材と同系色のものである請求項２３ないし２７のいずれかに記載のインクジェット記録装置。
【請求項２９】
前記多環芳香族ヘテロ共役系化合物は、前記色材の結晶性を低下させる機能を有するものである請求項２３ないし２８のいずれかに記載のインクジェット記録装置。
【請求項３０】
前記色材は、フタロシアニン系化合物を含むものである請求項２３ないし２９のいずれかに記載のインクジェット記録装置。
【請求項３１】
前記インク中における前記色材の含有量が１〜１０ｗｔ％である請求項２３ないし３０のいずれかに記載のインクジェット記録装置。
【請求項３２】
前記インク中における前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する請求項２３ないし３１のいずれかに記載のインクジェット記録装置。
【請求項３３】
吐出された前記インクから前記液媒体を除去した後、前記多環芳香族ヘテロ共役系化合物が前記色材の分子間に介挿するように存在する請求項２３ないし３２のいずれかに記載のインクジェット記録装置。
【発明の詳細な説明】
【０００１】
【発明の属する技術分野】
本発明は、インク、インクジェット記録方法およびインクジェット記録装置に関する。
【０００２】
【従来の技術】
インクジェット記録方法のようなインクを用いる印刷方法では、得られる印刷物において、部分的に光の反射率が異なり印刷物の観測角度によって金属様光沢が認められる、いわゆるブロンズ現象が発生する場合がある。このようなブロンズ現象が発生すると、画像全体としての色バランスが崩れ、印刷物の画質が低下してしまう。ブロンズ現象は、一般に、金赤インキ、紺インキ、藍インキ等の濃色のインクを用いた場合や単位面積当たりのインクの使用量が多い場合に、特に発生しやすい。
【０００３】
ブロンズ現象の発生を防止するために、添加物として尿素誘導体をインク中に加える試み（特開平６−２５５７５号公報）等がある。しかしながら、このような添加物を加えた場合であっても、ブロンズ現象の発生を十分に防止・抑制するのは困難であった。
【０００４】
【発明が解決しようとする課題】
本発明の目的は、ブロンズ現象の発生を十分に防止・抑制することができるインク、インクジェット記録方法およびインクジェット記録装置を提供することにある。
【０００５】
【課題を解決するための手段】
このような目的は、下記（１）〜（３３）の本発明により達成される。
【０００６】
（１）　色材と、前記色材を溶解または分散させる液媒体とを含むインクであって、
炭素原子と、炭素原子以外のヘテロ原子とを含む共役系を有し、かつ、芳香環を複数個有する多環芳香族ヘテロ共役系化合物を含むことを特徴とするインク。
【０００７】
（２）　前記多環芳香族ヘテロ共役系化合物は、下記式（Ｉ）〜（ＸＩＩ）からなる群より選択される少なくとも１種の化学構造を有するものである上記（１）に記載のインク。
2004067903.tif 000002
2004067903.tif 000003
2004067903.tif 000004
2004067903.tif 000005
2004067903.tif 000006
2004067903.tif 000007
2004067903.tif 000008
2004067903.tif 000009
2004067903.tif 000010
2004067903.tif 000011
2004067903.tif 000012
2004067903.tif 000013
【０００８】
（３）　前記多環芳香族ヘテロ共役系化合物の含有量が０．０５〜１．０ｗｔ％である上記（１）または（２）に記載のインク。
【０００９】
（４）　前記多環芳香族ヘテロ共役系化合物の平均分子量Ｍｗは、１５０〜５００である上記（１）ないし（３）のいずれかに記載のインク。
【００１０】
（５）　前記多環芳香族ヘテロ共役系化合物は、実質的に無色、黄系色または前記色材と同系色のものである上記（１）ないし（４）のいずれかに記載のインク。
【００１１】
（６）　前記多環芳香族ヘテロ共役系化合物は、前記色材の結晶性を低下させる機能を有するものである上記（１）ないし（５）のいずれかに記載のインク。
【００１２】
（７）　前記色材は、フタロシアニン系化合物を含むものである上記（１）ないし（６）のいずれかに記載のインク。
【００１３】
（８）　前記色材の含有量が１〜１０ｗｔ％である上記（１）ないし（７）のいずれかに記載のインク。
【００１４】
（９）　前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する上記（１）ないし（８）のいずれかに記載のインク。
【００１５】
（１０）　前記液媒体を除去した状態において、前記多環芳香族ヘテロ共役系化合物が前記色材の分子間に介挿するように存在する上記（１）ないし（９）のいずれかに記載のインク。
【００１６】
（１１）　インクジェット記録方法に用いられる上記（１）ないし（１０）のいずれかに記載のインク。
【００１７】
（１２）　インクをインク滴として吐出させて記録を行うインクジェット記録方法であって、
前記インクが、色材と、前記色材を溶解または分散させる液媒体とを含み、さらに、炭素原子と炭素原子以外のヘテロ原子とを含む共役系を有し、かつ、芳香環を複数個有する多環芳香族ヘテロ共役系化合物を含むものであることを特徴とするインクジェット記録方法。
【００１８】
（１３）　前記インク滴の平均粒量が５０ｐｌ以下である上記（１２）に記載のインクジェット記録方法。
【００１９】
（１４）　前記多環芳香族ヘテロ共役系化合物は、下記式（Ｉ）〜（ＸＩＩ）からなる群より選択される少なくとも１種の化学構造を有するものである上記（１２）または（１３）に記載のインクジェット記録方法。
2004067903.tif 000014
2004067903.tif 000015
2004067903.tif 000016
2004067903.tif 000017
2004067903.tif 000018
2004067903.tif 000019
2004067903.tif 000020
2004067903.tif 000021
2004067903.tif 000022
2004067903.tif 000023
2004067903.tif 000024
2004067903.tif 000025
【００２０】
（１５）　前記インク中における前記多環芳香族ヘテロ共役系化合物の含有量が０．０５〜１．０ｗｔ％である上記（１２）ないし（１４）のいずれかに記載のインクジェット記録方法。
【００２１】
（１６）　前記多環芳香族ヘテロ共役系化合物の平均分子量Ｍｗは、１５０〜５００である上記（１２）ないし（１５）のいずれかに記載のインクジェット記録方法。
【００２２】
（１７）　前記多環芳香族ヘテロ共役系化合物は、実質的に無色、黄系色または前記色材と同系色のものである上記（１２）ないし（１６）のいずれかに記載のインクジェット記録方法。
【００２３】
（１８）　前記多環芳香族ヘテロ共役系化合物は、前記色材の結晶性を低下させる機能を有するものである上記（１２）ないし（１７）のいずれかに記載のインクジェット記録方法。
【００２４】
（１９）　前記色材は、フタロシアニン系化合物を含むものである上記（１２）ないし（１８）のいずれかに記載のインクジェット記録方法。
【００２５】
（２０）　前記インク中における前記色材の含有量が１〜１０ｗｔ％である上記（１２）ないし（１９）のいずれかに記載のインクジェット記録方法。
【００２６】
（２１）　前記インク中における前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する上記（１２）ないし（２０）のいずれかに記載のインクジェット記録方法。
【００２７】
（２２）　吐出された前記インクから前記液媒体を除去した後、前記多環芳香族ヘテロ共役系化合物が前記色材の分子間に介挿するように存在する上記（１２）ないし（２１）のいずれかに記載のインクジェット記録方法。
【００２８】
（２３）　インクを収容するインク収容部と、前記インクをインク液として吐出させる吐出部とを有するインクジェット記録装置であって、
前記インクが、色材と、前記色材を溶解または分散させる液媒体とを含み、さらに、炭素原子と炭素原子以外のヘテロ原子とを含む共役系を有し、かつ、芳香環を複数個有する多環芳香族ヘテロ共役系化合物を含むものであることを特徴とするインクジェット記録装置。
【００２９】
（２４）　前記吐出部は、略円形状をなすものであり、その直径が１０〜５０μｍである上記（２３）に記載のインクジェット記録装置。
【００３０】
（２５）　前記多環芳香族ヘテロ共役系化合物は、下記式（Ｉ）〜（ＸＩＩ）からなる群より選択される少なくとも１種の化学構造を有するものである上記（２３）または（２４）に記載のインクジェット記録装置。
2004067903.tif 000026
2004067903.tif 000027
2004067903.tif 000028
2004067903.tif 000029
2004067903.tif 000030
2004067903.tif 000031
2004067903.tif 000032
2004067903.tif 000033
2004067903.tif 000034
2004067903.tif 000035
2004067903.tif 000036
2004067903.tif 000037
【００３１】
（２６）　前記インク中における前記多環芳香族ヘテロ共役系化合物の含有量が０．０５〜１．０ｗｔ％である上記（２３）ないし（２５）のいずれかに記載のインクジェット記録装置。
【００３２】
（２７）　前記多環芳香族ヘテロ共役系化合物の平均分子量Ｍｗは、１５０〜５００である上記（２３）ないし（２６）のいずれかに記載のインクジェット記録装置。
【００３３】
（２８）　前記多環芳香族ヘテロ共役系化合物は、実質的に無色、黄系色または前記色材と同系色のものである上記（２３）ないし（２７）のいずれかに記載のインクジェット記録装置。
【００３４】
（２９）　前記多環芳香族ヘテロ共役系化合物は、前記色材の結晶性を低下させる機能を有するものである上記（２３）ないし（２８）のいずれかに記載のインクジェット記録装置。
【００３５】
（３０）　前記色材は、フタロシアニン系化合物を含むものである上記（２３）ないし（２９）のいずれかに記載のインクジェット記録装置。
【００３６】
（３１）　前記インク中における前記色材の含有量が１〜１０ｗｔ％である上記（２３）ないし（３０）のいずれかに記載のインクジェット記録装置。
【００３７】
（３２）　前記インク中における前記色材の含有量をＣ１［ｗｔ％］、前記多環芳香族ヘテロ共役系化合物の含有量をＣ２［ｗｔ％］としたとき、０．０１≦Ｃ２／Ｃ１≦０．５の関係を満足する上記（２３）ないし（３１）のいずれかに記載のインクジェット記録装置。
【００３８】
（３３）　吐出された前記インクから前記液媒体を除去した後、前記多環芳香族ヘテロ共役系化合物が前記色材の分子間に介挿するように存在する上記（２３）ないし（３２）のいずれかに記載のインクジェット記録装置。
【００３９】
【発明の実施の形態】
以下、本発明のインク、インクジェット記録方法およびインクジェット記録装置を添付図面に示す好適な実施形態に基づいて詳細に説明する。
まず、本発明のインクについて説明する。
【００４０】
本発明のインクは、色材と、前記色材を溶解または分散させる液媒体と、多環芳香族ヘテロ共役系化合物とを含むものである。
以下、これらの各成分について説明する。
【００４１】
［色材］
色材としては、例えば、各種顔料、染色剤等の着色剤等を用いることができる。
【００４２】
染料としては、例えば、酸性染料、塩基性染料、直接染料、反応性染料、分散染料、食品用色素等を用いることができる。染料の具体例としては、例えば、Ｃ．Ｉ．アシッド　ブラック２，７，１６，１７，２４，２６，２８，３１，４１，５２，６３，９４，１１２，１１８，１１９；Ｃ．Ｉ．アシッド　イエロー４，１１，１２，１３，１４，１７，１８，２３，２５，２９，３４，４０，４１，４２，５３，５５，６１，７１，７６，１１１，１２２；Ｃ．Ｉ．アシッド　レッド１，４，６，８，９，１５，１９，２１，３０，３２，３４，３５，３７，４０，４２，５１，５２，５４，８０，８２，８５，８７，９２，９４，１０６，１０８，１１０，１１５，１１９，１３３，１４３，１７２，１７６，１８０，１８７，２５６，３１７；Ｃ．Ｉ．アシッド　ブルー７，９，１５，２２，２３，２５，４０，４１，４３，４５，４９，５１，５３，５５，５６，５９，６２，７８，８０，８１，９０，９３，１０２，１０４，１１１，１１３，１１７，１２０，１２４，１４５，１６７，１８５，１９２，２２９，２３４，２５４；Ｃ．Ｉ．アシッド　オレンジ７，１９；Ｃ．Ｉ．アシッド　バイオレット４９；Ｃ．Ｉ．ベイシック　ブラック２，８；Ｃ．Ｉ．ベイシック　イエロー２，１２，３２；Ｃ．Ｉ．ベイシック　レッド１，２，９，１２，１３，１４，３７；Ｃ．Ｉ．ベイシック　ブルー１，３，５，７，９，２４，２５，２６，２８，２９；Ｃ．Ｉ．ベイシック　バイオレット７，１４，２７；Ｃ．Ｉ．ベイシック　グリーン４，６；Ｃ．Ｉ．ダイレクト　ブラック２，９，１１，１４，１７，１９，２２，２７，３２，３６，３８，４１，４８，４９，５１，５６，７１，７５，７７，７８，８０，１０６，１０８，１４６，１５４；Ｃ．Ｉ．ダイレクト　イエロー１，２，４，８，１２，２４，２６，３３，３４，４１，４２，４８，５０，５１，７２，８７，９８；Ｃ．Ｉ．ダイレクト　レッド１，４，８，１１，１５，１７，２３，２８，３１，４６，５９，６２，７３，７５，７７，８０，８１，８３，８４，８５，９０，１０１，１０６，１０８，１１０，１４５，１８９，１９３，２２５；Ｃ．Ｉ．ダイレクト　ブルー１，２，６，８，２２，２５，３４，６９，７０，７１，７２，７５，７６，７８，８１，８２，８３，８６，９０，９８，１０６，１１０，１２０，１６５，１９５，１９９，２１８，２３９，２５８；Ｃ．Ｉ．ダイレクト　オレンジ３４，３９，４４，４６，６０；Ｃ．Ｉ．ダイレクト　バイオレット４７，４８；Ｃ．Ｉ．ダイレクト　ブラウン１０９；Ｃ．Ｉ．ダイレクト　グリーン６，５９；Ｃ．Ｉ．フード　ブラック１，２；Ｃ．Ｉ．フード　イエロー２，４，５；Ｃ．Ｉ．フード　レッド２，３，７，１４，５２，８７，９４，１０５；Ｃ．Ｉ．フード　ブルー１，２；Ｃ．Ｉ．リアクティブ　ブラック１，４，５，８，１４，２１，２３，２６，３１，３２，３４；Ｃ．Ｉ．リアクティブ　ブルー２，３，４，５，７，８，１０，１３，１４，１５，１７，１８，１９，２１，２５，２６，２７，２８，２９，３８，３９，４０，４２，４３，４９，５１，５２，６５，６６，６７，６８，７１，７３，７４，７５，７７，７８，７９，８０，８９，９８，１００，１０１，１０４，１０５，１１２，１１３，１１４，１１５，１１９，１４７，１４８，１５８，１６０，１６２，１６９，１７０，１７１，１７９，１８２，１８７；Ｃ．Ｉ．リアクティブ　レッド３，６，１３，１７，１９，２１，２２，２３，２４，２９，３５，３７，４０，４１，４３，４５，４９，５５，５６，５８，６３，６７，８０，８１，８２，８５，８６，８７，１０４，１０６，１０８，１０９，１１０，１１１，１１２，１１３，１１４，１１７，１１８，１１９，１２０，１２３，１２４，１２６，１２８，１３０，１３１，１３２，１４１，１４７，１５８，１５９，１７０，１７１，１７４，１７６；Ｃ．Ｉ．リアクティブイエロー２，３，１３，１４，１５，１７，１８，２３，２４，２５，２６，２７，２９，３５，３７，４１，４２，４９，５０，５２，５４，５５，５７，５８，６３，６４，７５，７６，７７，７９，８１，８２，８３，８４，８５，８７，８８，９１，９２，９３，９５，９６，１１１，１１５，１１６，１３１，１３５；Ｃ．Ｉ．リアクティブ　オレンジ１，２，５，７，１０，１１，１２，１３，１５，１６，２０，３０，３４，３５，４１，４２，４４，４５，４６，５６，５７，６２，６３，６４，６７，６９，７１，７２，７３，７４，７８，８２，８４，８７；Ｃ．Ｉ．リアクティブバイオレット１，２，３，４，５，６，７，８，９，１６，１７，２２，２３，２４，２６，２７，３３；Ｃ．Ｉ．リアクティブ　ブラウン１，２，５，６，７，８，９，１６，１７，１８，１９，２１，２４，２６，３０；Ｃ．Ｉ．ディスパース　ブラック１，３，１０，２４；Ｃ．Ｉ．ディスパース　ブルー３，７，９，１４，１６，１９，２０，２６，２７，３５，４３，４４，５４，５５，５６，５８，６０，６２，６４，７０，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８３，１８５，１８６，１８７，１８９，１９１，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３；Ｃ．Ｉ．ディスパース　レッド１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，２２４，２２５，２２７，２２９，２３９，２４０，２５７，２５８，２７７，２７８，２７９，２８１，２８８，２９６，３０３，３１０，３１１，３１２，３２０，３２４，３２８；Ｃ．Ｉ．ディスパース　イエロー３，４，５，７，９，１３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１１４，１１６，１１８，１１９，１２２，１２４，１２６，１３５，１４０，１４１，１４９，１６０，１６２，１６３，１６４，１６５，１７９，１８０，１８２，１８３，１８６，１９２，１９８，１９９，２０２，２０４，２１０，２１１，２１５，２１６，２１８，２２４；Ｃ．Ｉ．ディスパース　オレンジ１，３，５，７，１１，１３，１７，２０，２１，２５，２９，３０，３１，３２，３３，３７，３８，４２，４３，４４，４５，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２；Ｃ．Ｉ．ディスパース　ブラウン１，２，４，９，１３，１９；Ｃ．Ｉ．モーダント　レッド３０；Ｃ．Ｉ．モーダント　ブルー７等が挙げられる。
【００４３】
上記の染料は、化学構造上、例えば、フタロシアニン系化合物、キサンテン系化合物、トリフェニルメタン系化合物、アントラキノン系化合物、モノアゾ系化合物、ジスアゾ系化合物、トリスアゾ系化合物、テトラアゾ系化合物等に分類することができるが、本発明で用いる染料は、フタロシアニン系化合物を含むものであるのが好ましい。フタロシアニン系化合物は、上記材料の中でも特に、結晶性が高く、ブロンズ現象を起こし易いものであるため、本発明の効果がより顕著に得られる。
【００４４】
また、顔料としては、例えば、Ｃ．Ｉ．ピグメント　ホワイト１，４，５，６，７，１１，１８，１９，２０，２１，２２，２３，２４，２６，２７，２８；Ｃ．Ｉ．ピグメント　イエロー３４，３５，３５：１，３７，３７：１，４２，４３，５３，１５７，１６２，１８０；Ｃ．Ｉ．ピグメント　オレンジ２０，２０：１，１０４；Ｃ．Ｉ．ピグメント　レッド１０１，１０２，１０５，１０６，１０８，１０８：１，１８４；Ｃ．Ｉ．ピグメント　ブラウン７，１１，３３；Ｃ．Ｉ．ピグメント　グリーン１５，１７，１８，１９，２６，５０；Ｃ．Ｉ．ピグメント　ブルー５：１，２７，２８，２９，３５，３６；Ｃ．Ｉ．ピグメント　バイオレット１４，１６；Ｃ．Ｉ．ピグメント　ブラック６，７，８，９，１０，１１，２６，２７，２８；Ｃ．Ｉ．ピグメント　メタル１，２，４，５，６等の無機顔料や、Ｃ．Ｉ．ピグメント　イエロー１，３，１２，１３，１４，１７，５５，７３，７４，８１，８３，９３，９４，９５，９７，１０８，１０９，１１０，１２９，１３８，１３９，１５１，１５３，１５４，１６８；Ｃ．Ｉ．ピグメント　オレンジ５，１３，１６，３６，４３；Ｃ．Ｉ．ピグメント　レッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４；Ｃ．Ｉ．ピグメント　ブラウン２５；Ｃ．Ｉ．ピグメント　グリーン７，３６；Ｃ．Ｉ．ピグメント　ブルー１，１５，１５：１，１５：２，１５：３，１５：４，１５：６，１７：１，１８，６０；Ｃ．Ｉ．ピグメント　バイオレット１，３，１９，２３，５０等の有機顔料等が挙げられる。
【００４５】
この中でも、本発明で用いる顔料としては、有機顔料であるのが好ましく、フタロシアニン系化合物（例えば、Ｃ．Ｉ．ピグメント　ブルー１，１５，１５：１，１５：２，１５：３，１５：４，１５：６；Ｃ．Ｉ．ピグメント　グリーン７，３６等）を含むものであるのが好ましい。フタロシアニン系化合物は、上記材料の中でも特に、結晶性が高く、ブロンズ現象を起こし易いものであるため、本発明の効果がより顕著に得られる。
【００４６】
インク中における色材の含有量は、特に限定されないが、１〜１０ｗｔ％であるのが好ましく、２〜５ｗｔ％であるのがより好ましい。
【００４７】
色材の含有量が前記下限値未満であると、色材の種類等によっては、十分な濃度の可視像を形成するのが困難になる可能性がある。一方、色材の含有量が前記上限値を超えると、後述する多環芳香族ヘテロ共役系化合物の含有量等によっては、ブロンズ現象の発生を十分に防止・抑制するのが困難になる可能性がある。
【００４８】
［液媒体］
液媒体は、色材を溶解または分散させる機能を有するものであればいかなるものを用いてもよいが、後述するようなインクジェット記録方法、インクジェット記録装置に適用するものである場合、液媒体は、通常、主として水で構成されたものである。また、例えば、保湿性の向上、色材や多環芳香族ヘテロ共役系化合物の溶解性・分散性の向上、インクの保存安定性の向上、粘度の調整、紙等の被記録材への浸透性の調整、液性（ｐＨ）の調整等のために、液媒体として、水以外の成分を含むものを用いてもよい。
【００４９】
上記のような目的で用いる成分としては、例えば、メタノール、エタノール、ｎ−プロパノール、イソプロパノール、ｎ−ブタノール、ｓｅｃ−ブタノール、ｔｅｒｔ−ブタノール、イソブタノール、ｎ−ペンタノール等の１価アルコール類、エチレングリコール、プロピレングリコール、ブチレングリコール、ジエチレングリコール、ポリエチレングリコール、ポリプロピレングリコール、トリメチレングリコール、トリエチレングリコール、チオジグリコール、ジチオジグリコール、チオジエチレングリコール、グリセリン、ヘキシレングリコール、１，５−ペンタンジオール、１，２，６−ヘキサントリオール、２−メチル−１，３−プロパンジオール、アセチレングリコール誘導体、トリメチロールプロパン等の多価アルコール類、テトロヒドロフラン、ジオキサン、エチレングリコールモノメチルエーテル、エチレングリコールモノエチルエーテル、ジエチレングリコールモノブチルエーテル、ジエチレングリコールモノメチルエーテル、ジエチレングリコールモノエチルエーテル、トリエチレングリコールモノブチルエーテル、トリエチレングリコールモノメチルエーテル、トリエチレングリコールモノエチルエーテル、トリエチレングリコールジメチルエーテル、トリエチレングリコールジエチルエーテル、テトラエチレングリコールエーテル、テトラエチレングリコールエチルエーテル等のエーテル類、モノエタノールアミン、ジエタノールアミン、トリエタノールアミン、エチルジエタノールアミン等のアミン類、モノエタノールアミン、ジエタノールアミン、トリエタノールアミン等のアルコールアミン類（アルカノールアミン類）、ホルムアミド、ジメチルホルムアミド、ジメチルアセトアミド等のアミド類、アセトン、メチルエチルケトン等のケトン類、ジアセトンアルコール等のケトアルコール類の他、ジメチルホルムアミド、ジメチルアセトアミド、スルホラン、２−ピロリドン、Ｎ−メチルピロリドン、Ｎ−ヒドロキシエチルモルホリン、Ｎ−エチルモルホリン、ジメチルスルホキシド、１，３−ジメチル−２−イミダゾリジノン等が挙げられる。
【００５０】
［多環芳香族ヘテロ共役系化合物］
本発明は、インク中に、炭素原子と、炭素原子以外のヘテロ原子（例えば、窒素原子、酸素原子、硫黄原子等）とを含む共役系を有し、かつ、芳香環を複数個有する（芳香族性の縮合環構造を有する）、多環芳香族ヘテロ共役系化合物を含むことに特徴を有する。
【００５１】
このような多環芳香族ヘテロ共役系化合物がインク中に含まれることにより、ブロンズ現象の発生を効果的に防止・抑制することができる。ブロンズ現象の発生を防止・抑制できるのは、以下のような理由によるものであると考えられる。
【００５２】
ブロンズ現象は、紙等の被記録材上で色材を構成する物質（以下、「色材構成物質」とも言う。）が結晶化することなどにより、発生するものであると考えられているが、インク中に多環芳香族ヘテロ共役系化合物が含まれると、色材構成物質の結晶性が低下する。すなわち、色材構成物質と多環芳香族ヘテロ共役系化合物間との相互作用が発現することにより、色材構成物質−色材構成物質間での相互作用が防止・抑制される。その結果、色材構成物質は、紙等の被記録材上において、ミクロ的にランダムな方向を向くことになり、ブロンズ現象の発生が効果的に防止・抑制される。
【００５３】
上述したようなブロンズ現象の発生を防止・抑制する効果は、色材がフタロシアニン系化合物を含むものである場合に、より顕著なものとなる。これは、以下のようなものであると考えられる。
【００５４】
フタロシアニン系化合物は、式（ＸＩＩＩ）で示すような一般構造を有している。
2004067903.tif 000038
【００５５】
このような構造を有することから、フタロシアニン系化合物は、分子間での芳香環の相互作用が起こりやすく、芳香環の面方向に垂直な方向に、分子が積層するような形態の結晶を形成し易い。このような形態の結晶は、安定性が高いため、フタロシアニン系化合物を含む従来のインクでは、このような結晶の生成を十分に防止するのが困難であり、上記のようなブロンズ現象がより発生し易かった。
【００５６】
一方、本発明で用いられる多環芳香族ヘテロ共役系化合物は、上述したように、複数個の芳香環を有するものである。このような構造を有しているため、多環芳香族ヘテロ共役系化合物は、前述した色材の中でも特に、フタロシアニン系化合物との間では、より強力な相互作用を発現しやすい。このため、インクから液媒体が除去された状態等において、多環芳香族ヘテロ共役系化合物は、フタロシアニン系化合物の分子間に入り込み（介挿した状態となり）、フタロシアニン系化合物が規則的な結晶構造を形成するのを、より効果的に防止する。
【００５７】
また、多環芳香族ヘテロ共役系化合物は、例えば、炭素原子と炭素原子以外のヘテロ原子とを含む共役系を有している。これにより、多環芳香族ヘテロ共役系化合物がフタロシアニン系化合物−フタロシアニン系化合物間に入り込んだ状態（介挿された状態）において、多環芳香族ヘテロ共役系化合物は、フタロシアニン系化合物に対して所定の方向を向きやすくなる。例えば、多環芳香族ヘテロ共役系化合物がフタロシアニン系化合物−フタロシアニン系化合物間に入り込んだ状態（介挿された状態）において、多環芳香族ヘテロ共役系化合物は、前記ヘテロ原子が錯体の中心原子Ｍに配位（不完全な配位、部分的な配位も含む）するような方向を向きやすくなる。その結果、フタロシアニン系化合物−フタロシアニン系化合物間の相互作用がさらに起こりにくくなり、ブロンズ現象の発生をより確実に防止・抑制することができる。
【００５８】
また、インク中に多環芳香族ヘテロ共役系化合物が含まれることにより、液媒体が除去されていない状態（被記録材に記録される前の状態）においても、上記のような色材構成物質−色材構成物質間での相互作用を低減させることができるため、インク中における色材構成物質の析出等が効果的に防止され、例えば、インクを後述するようなインクジェット記録方法、インクジェット記録装置に用いた場合に、インクの吐出部におけるインクの目詰まり等の発生を効果的に防止することができ、インクの吐出安定性が向上する。
【００５９】
このように、本発明では、色材構成物質−色材構成物質間での相互作用を低減させることができるので、インク中に占める色材の含有量が比較的多い場合であっても、前記のような問題の発生を効果的に防止・抑制することができる。
【００６０】
また、本発明によれば、インク中に占める色材の含有量を多くすることができるので、インク全体としての耐光性、耐ガス性等も特に優れたものとなる。
【００６１】
本発明では、多環芳香族ヘテロ共役系化合物としてはいかなるものを用いてもよいが、下記式（Ｉ）〜（ＸＩＩ）からなる群より選択される少なくとも１種の化学構造を有するもの（ただし、これらの置換体、誘導体等を含む）であるのが好ましい。このような構造を有することにより、ブロンズ現象の発生をより効果的に防止・抑制することができる。特に、色材としてフタロシアニン系化合物を含む物を用いた場合においては、フタロシアニン系化合物−フタロシアニン系化合物間の相互作用がさらに起こりにくくなり、前述した効果がさらに顕著なものとなる。
【００６２】
2004067903.tif 000039
2004067903.tif 000040
2004067903.tif 000041
2004067903.tif 000042
2004067903.tif 000043
2004067903.tif 000044
2004067903.tif 000045
2004067903.tif 000046
2004067903.tif 000047
2004067903.tif 000048
2004067903.tif 000049
2004067903.tif 000050
【００６３】
多環芳香族ヘテロ共役系化合物の平均分子量Ｍｗは、特に限定されないが、１５０〜５００であるのが好ましく、１６８〜４８７であるのがより好ましい。
【００６４】
多環芳香族ヘテロ共役系化合物の平均分子量Ｍｗが前記下限値未満であると、色材構成物質−色材構成物質間への介挿位置にばらつきを生じ易くなり、色材分子の結晶性を適度に低下させるのが困難になる可能性がある。すなわち、多環芳香族ヘテロ共役系化合物の添加量が比較的多い場合には、色材分子の結晶性が著しく低下し、その結果、耐ガス性の低下を招いてしまう一方で、多環芳香族ヘテロ共役系化合物の添加量が比較的少ない場合には、多環芳香族ヘテロ共役系化合物のサイズが小さいため、色材分子の結晶性を十分に低下させるのが困難になる可能性がある。
【００６５】
一方、多環芳香族ヘテロ共役系化合物の平均分子量Ｍｗが前記上限値を超えると、多環芳香族ヘテロ共役系化合物がフタロシアニンの分子面（芳香環が形成する面）より大きくなり、色材分子の結晶性が著しく低下し、インク全体としての耐ガス性が低下する可能性がある。また、多環芳香族ヘテロ共役系化合物の平均分子量Ｍｗが前記上限値を超えると、溶媒への溶解性が低下するため、インク中での多環芳香族ヘテロ共役系化合物の濃度を十分に高めるのが困難になり、結果として、本発明の効果が十分に発揮されない可能性がある。
【００６６】
多環芳香族ヘテロ共役系化合物は、実質的に無色、黄系色または前記色材と同系色のものであるのが好ましい。これにより、色材が有する色を損なうことなく、ブロンズ現象が発生し難いインクを提供することができる。
【００６７】
インク中における多環芳香族ヘテロ共役系化合物の含有量は、特に限定されないが、０．０５〜１．０ｗｔ％であるのが好ましく、０．１〜０．５ｗｔ％であるのがより好ましい。
【００６８】
多環芳香族ヘテロ共役系化合物の含有量が前記下限値未満であると、色材の種類等によっては、ブロンズ現象の発生を十分に防止・抑制するのが困難になる可能性がある。一方、多環芳香族ヘテロ共役系化合物の含有量が前記上限値を超えると、色材や多環芳香族ヘテロ共役系化合物の溶解性・分散性の低下、インクの保存安定性の低下、粘度の変化、紙等の被記録材への浸透性の変化等により印刷物の性能低下等を生じる可能性がある。
【００６９】
また、インク中における色材の含有量（含有率）をＣ１［ｗｔ％］、多環芳香族ヘテロ共役系化合物の含有量（含有率）をＣ２［ｗｔ％］としたとき、０．０１≦Ｃ２／Ｃ１≦０．５の関係を満足するのが好ましく、０．０５≦Ｃ２／Ｃ１≦０．２５の関係を満足するのがより好ましい。
【００７０】
Ｃ２／Ｃ１の値が前記下限値未満であると、色材、多環芳香族ヘテロ共役系化合物の種類等によっては、本発明の効果が十分に得られない可能性がある。一方、Ｃ２／Ｃ１の値が前記上限値を超えると、耐ガス性や、色の安定性が低下する可能性がある。
【００７１】
［その他の成分］
また、インク中には、前述した色材、液媒体、多環芳香族ヘテロ共役系化合物以外の成分が含まれていてもよい。このような成分としては、例えば、ｐＨ調整剤、表面張力調整剤、粘度調整剤、分散剤（分散安定剤）、浸透促進剤、紫外線吸収剤、酸化防止剤、乾燥防止剤、蒸発促進剤、消泡剤、防かび剤、防腐剤、防錆剤等が挙げられる。
【００７２】
ｐＨ調整剤は、通常、インクのｐＨ調節、分散性、溶解性の安定化等の目的で使用される。ｐＨ調整剤としては具体的には、例えば、アンモニア、水酸化リチウム、水酸化ナトリウム、水酸化カリウム、水酸化アンモニウム等の無機塩基や当該無機塩基の塩、塩酸、硫酸、リン酸、ホウ酸、炭酸等の無機酸や当該無機酸の塩（例えば、硫酸リチウム、硫酸ナトリウム、硫酸カリウム、硫酸アンモニウム等の硫酸塩、炭酸リチウム、炭酸ナトリウム、炭酸水素ナトリウム、炭酸カリウム、炭酸水素カリウム、炭酸ナトリウムカリウム、炭酸アンモニウム、炭酸水素アンモニウム等の炭酸塩、リン酸リチウム、リン酸一ナトリウム、リン酸二ナトリウム、リン酸三ナトリウム、リン酸一カリウム、リン酸二カリウム、リン酸三カリウム、リン酸一アンモニウム、リン酸二アンモニウム、リン酸三アンモニウム等のリン酸塩等）、トリエタノールアミン、ジエタノールアミン、Ｎ−メチルジエタノールアミン、ジメチルエタノールアミン等の有機塩基や当該有機塩基の塩、酢酸、プロピオン酸、トリフルオロ酢酸、アルキルスルホン酸、クエン酸、コハク酸等の有機酸（例えば、酢酸リチウム、酢酸ナトリウム、酢酸カリウム、酢酸アンモニウム等の酢酸塩等）等が挙げられる。また、ｐＨ調整剤は、これらのうち少なくとも２種以上を含み、ｐＨ緩衝作用を有するものであってもよい。
【００７３】
表面張力調整剤としては、例えば、カチオン系界面活性剤、アニオン系界面活性剤、ノニオン系界面活性剤、両性界面活性剤等の界面活性剤等が挙げられる。アニオン系界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等が挙げられる。ノニオン系界面活性剤としては、例えば、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等が挙げられる。
【００７４】
粘度調整剤としては、例えば、セルロース類、ポリビニルアルコール等の水溶性ポリマーやノニオン系界面活性剤等が挙げられる。
【００７５】
分散剤（分散安定剤）は、通常、色材や多環芳香族ヘテロ共役系化合物の分散性を向上、安定化させる目的で用いられる。分散剤、分散安定剤としては、例えば、上記の各種界面活性剤や、グリコール類、グリコールエーテル類、複素環式水溶性有機溶媒、アルカノールアミン類、アルコール類、界面活性剤の他、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体等が挙げられる。
【００７６】
浸透促進剤は、通常、紙等の被記録材に、インクをより良く浸透させる目的で使用する。浸透促進剤としては、例えば、前記液媒体として例示した材料や、３−スルホレン、ソルビトール、ウレア、１，３−ビス（β−ヒドロキシエチル）ウレア、チオウレア等のウレア誘導体、グリコール類、グリコールエーテル類、複素環式水溶性有機溶媒等が挙げられる。
【００７７】
紫外線吸収剤は、通常、画像の保存性を向上させる目的で使用される。紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【００７８】
酸化防止剤は、通常、画像の保存性を向上させる目的で使用される。酸化防止剤としては、例えば、各種の有機系、金属錯体系の褪色防止剤等を使用することができる。有機の褪色防止剤としては、例えば、ハイドロキノン類、アルコキシフェノール類、ジアルコキシフェノール類、フェノール類、アニリン類、アミン類、インダン類、クロマン類、アルコキシアニリン類、ヘテロ環類等が挙げられ、金属錯体としては、例えば、ニッケル錯体、亜鉛錯体等が挙げられる。
【００７９】
乾燥防止剤（保湿剤）は、通常、インクの噴射口での乾操による目詰まりを防止等の目的で使用される。乾燥防止剤としては、例えば、前記液媒体として例示した材料や、３−スルホレン、ソルビトール、ウレア、１，３−ビス（β−ヒドロキシエチル）ウレア、チオウレア等のウレア誘導体等が挙げられる。
【００８０】
蒸発促進剤は、通常、インクの速乾性を向上させる目的で使用する。蒸発促進剤としては、例えば、上記の界面活性剤、アルカノールアミン類、アルコール類等が挙げられる。
【００８１】
消泡剤としては、例えば、フッ素系、シリコーン系化合物やＥＤＴＡに代表されるキレート剤等が挙げられる。
【００８２】
防かび剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。
【００８３】
また、インク中には、印刷物の偽造防止等の目的で、例えば、蛍光化合物、赤外線吸収化合物等が含まれていてもよい。
【００８４】
蛍光性化合物としては、例えば、一般に蛍光増白剤と称され、可視光領域に吸収を持たない化合物（特開昭５８−４９７６５号公報、特開平８−１９９１０１号公報等に記載）や、ユーロピウムを含む有機化合物（特開平８−２５３７１５号公報、特開平１０−１７５７１号公報等に記載）等を用いることが可能である。また、蛍光性化合物としては、一般に蛍光染料、蛍光顔料と称され、可視光領域に吸収を持つ化合物（特開昭５８−４９７６５号公報、特開平９−７８０１２号公報、特開平９−３０２２９３号公報等に記載）を用いることも可能である。
【００８５】
蛍光増白剤としては、例えば、ジアミノスチルベン系、ジスチリルビフェニル系、イミダゾール系、ナフタルイミド系、クマリン系の蛍光増白剤等が挙げられ、この市販品としては、例えば、日本化薬カラーズ社製の「Ｋａｙａｐｈｏｒ　ＡＰ　Ｌｉｑｕｉｄ」、「Ｋａｙａｐｈｏｒ　ＰＡＳ　Ｌｉｑｕｉｄ」、「Ｋａｙａｐｈｏｒ　ＧＭＹ　Ｌｉｑｕｉｄ」、「Ｋａｙａｐｈｏｒ　Ｓ　Ｌｉｑｕｉｄ」、チバスペシャリティーケミカルズ社製の「Ｔｉｎｏｐａｌ　ＵＰ　Ｌｉｑｕｉｄ」、「Ｔｉｎｏｐａｌ　ＡＢＰ−Ｚ　Ｌｉｑｕｉｄ」、「ＴｉｎｏｐａｌＭＳＰ　Ｌｉｑｕｉｄ」、「ＵＶＩＴＥＸ　ＮＦＷ　Ｌｉｑｕｉｄ」等に含まれる（溶解または分散された）ものを用いることができる。
【００８６】
蛍光染料、蛍光顔料としては、例えば、日本化薬カラーズ社製の「Ｋａｙａｒｕｓ　Ｌｉｇｈｔ　Ｙｅｌｌｏｗ　Ｆ８Ｇ」、「Ｋａｙａｎｏｌ　Ｂｒｉｌｌｉａｎｔ　Ｆｌａｖｉｎｅ　ＦＬ」、「Ｋａｙａｓｅｔ　Ｆｌａｖｉｎｅ　Ｆ２Ｇ」、「Ｋａｙａｃｒｙｌ　Ｂｒｉｌｌ．Ｐｉｎｋ　Ｂ−ＥＤ」、「Ｋａｙａｃｒｙｌ　Ｂｒｉｌｌ．Ｐｉｎｋ　Ｂ２００」等の粉体、または、日本化薬カラーズ社製の「Ｋａｙａｆｅｃｔ　Ｙｅｌｌｏｗ　Ｇ　Ｌｉｑｕｉｄ」、日本螢光化学社製の「ＬＵＭＩＫＯＬ　ＮＫＷ−３００２」、「ＬＵＭＩＫＯＬ　ＮＫＷ−３００３」、「ＬＵＭＩＫＯＬ　ＮＫＷ−３００４」、「ＬＵＭＩＫＯＬ　ＮＫＷ−３００５」、「ＬＵＭＩＫＯＬ　ＮＫＷ−３００７」、シンロイヒ社製の「ＳＦ−５０１２」、「ＳＦ−５０１３」、「ＳＦ−５０１４」、「ＳＦ−５０１５」、「ＳＦ−５０１７」等に含まれる（溶解または分散された）ものを用いることができる。
【００８７】
赤外線吸収化合物としては、例えば、アントラキノン系、シアニン系化合物等が挙げられ、これらのうちの１種または２種以上を組み合わせて用いることができる。この市販品としては、例えば、三井化学社製の「ＳＩＲ−１１４」、「ＳＩＲ−１２８」、日本化薬カラーズ社製の「ＫＡＹＡＳＯＲＢ　ＣＹ−１７」、林原生物化学研究所社製の「ＮＫ−５４０２」、ＡＶＥＣＩＡ社製の「ＰＲＯ−ＪＥＴ８２５ＬＤＩ」、「ＤＥＶＥＬＯＰＭＥＮＴＡＬ　ＭＡＴＥＲＩＡＬ　Ｓ１７４９６３」等を用いることができる。
【００８８】
上述したインクが適用される被記録材は、いかなるものであってもよいが、コピー用紙、ボンド紙、レター紙等の普通紙や、インクジェット記録用に調製されたコート紙、光沢紙、ＯＨＰフィルム等が好ましい。
【００８９】
また、上述したインクは、後述するようなインクジェット記録方法、インクジェット記録装置に用いられるものであるのが好ましい。このような記録方法、記録装置では、従来のインクを用いた場合に、ブロンズ現象等の問題を特に発生しやすかった。このため、上述したようなインクを、インクジェット記録方法、インクジェット記録装置に用いることにより、本発明の効果がより顕著に発揮される。インクジェット記録方法としては、力学的エネルギー（圧電パルス）によりインクを液滴として吐出させる方法や、熱エネルギーによりインクを吐出させる方法等が挙げられる。
【００９０】
以下、上述したインクを用いた本発明のインクジェット記録方法およびインクジェット記録装置の好適な実施形態について説明する。
【００９１】
図１は、本発明のインクジェット記録装置の実施形態を示す斜視図、図２は、図１に示すインクジェット記録装置に搭載されたインクジェットヘッドの外観斜視図、図３は、図２に示すインクジェットヘッドを図２中の矢印方向から見た断面図である。なお、図２および図３は、通常使用される状態とは、上下逆に示されている。また、以下の説明では、図３中左側を「前」、右側を「後」と言う。
【００９２】
図１に示すインクジェット記録装置１において、インクジェットヘッド２は、キャリッジ３に搭載され、ガイド軸４によりガイドされてキャリッジモータ５によりベルト６を介して矢印Ｂおよび矢印Ｃ方向に移動する。
【００９３】
また、キャップ７は、インクジェットヘッド２のノズル孔２１３を有する面のキャッピングを行う。
【００９４】
このインクジェット記録装置１では、紙（被記録材）８は、紙送りローラ９と紙押えローラ１０とにより搬送され、インクジェットヘッド２の下を通過する。この際に、紙８には、インクジェットヘッド２のノズル孔２１３から吐出されるインクによって印刷が行われ、排出ローラ１１によってインクジェット記録装置１から排出される。
【００９５】
インクジェットヘッド２は、図２に示すように、ノズル板２１、キャビティ板２２および配線板２３とを有しており、キャビティ板２２を挟むようにしてノズル板２１と配線板２３とが配置されている。
【００９６】
ノズル板２１は、例えばホウ珪酸系ガラス等で構成されている。このノズル板２１は、薄肉部２１１と、その両側に形成された厚肉部２１２とを有し、薄肉部２１１には、複数のノズル孔２１３が形成されている。図示の構成では、各ノズル孔２１３は、略直線上にほぼ等間隔で設けられている。
【００９７】
ノズル孔２１３の形状は、例えば、円形であり、その直径は、例えば、１０〜５０μｍ程度である。
【００９８】
キャビティ板２２は、例えば、シリコン基板にエッチングを施すことにより形成されたものである。このキャビティ板２２は、ノズル板２１との対向面に複数の段差が設けられ、ノズル板２１との間に空隙が画成（形成）されている。
【００９９】
この空隙は、各々区切られた複数の圧力室２４と、圧力室２４の後部に設けられたオリフィス２５と、圧力室２４にインクを供給する共通インク室２６とを有しており、共通インク室２６の後部には、インク取込口（図示せず）が設けられている。
【０１００】
また、キャビティ板２２の圧力室２４の底部に対応する部分は、薄肉とされており、圧力室２４の圧力を変動させる振動板２７として機能する。
【０１０１】
配線板２３は、例えば、ホウ珪酸系ガラスで構成されている。この配線板２３は、振動板２７と対向する部分が凹部とされており、振動板２７との間に振動室２８が形成されている。この振動室２８の底面には、振動板２７に対向する各々の位置にＩＴＯ導電膜が、例えば、スパッタ等により個別電極２９として形成されている。なお、個別電極２９は、それぞれ、リード部および端子部（図示せず）に接続されている。
【０１０２】
この振動板２７、振動室２８および個別電極２９によって、静電アクチュエータが構成されている。
【０１０３】
また、このインクジェットヘッド２には、振動板２７、振動室２８および個別電極２９で構成される静電アクチュエータに、信号を送出するためのヘッドＦＰＣ（フレキシブル・プリント・サーキット）の端子部が列状に配置されている。
【０１０４】
また、ヘッドＦＰＣは、インクジェット記録装置１の本体側に設けられた駆動回路に電気的に接続されており、ヘッドＦＰＣを前記端子部に接続することによって、共通電極（図示せず）と個別電極２９とが前記駆動回路に接続されている。
【０１０５】
このようなインクジェットヘッド２では、駆動回路により静電アクチュエータに充電が行われ、ここに発生する静電気力によって、振動板２７が個別電極２９側に撓む。これにより、圧力室２４内の圧力が低下し、共通インク室２６から圧力室２４内にインクが引き込まれる。その後、充電を停止し、静電アクチュエータに蓄えられた電荷を急激に放電すると、振動板２７自体の弾性力で振動板２７は、ほぼ元の形状に復元する。この時、圧力室２４内の圧力が急激に上昇し、ノズル孔２１３よりインク液滴３０が吐出され、紙８上に付着することにより所望の画像、図形、文字等の各種情報が印刷される。
【０１０６】
吐出されるインク液滴３０の平均粒量は、特に限定されないが、５０ｐｌ以下であるのが好ましい。このように、インク液滴の平均粒量が比較的小さい場合、従来のインクでは、ノズル孔（吐出部）における目詰まり等を発生しやすかったが、前述したように、本発明ではこのような不都合の発生を効果的に防止できる。したがって、インク液滴３０の平均粒量が５０ｐｌ以下の場合、本発明の効果はより顕著なものとなる。
【０１０７】
以上、本発明のインク、インクジェット記録方法およびインクジェット記録装置について、好適な実施形態に基づいて説明したが、本発明は、これらに限定されるものではない。
【０１０８】
例えば、前述した実施形態では、液媒体として、主として水で構成されたものを用いる構成について説明したが、液媒体は、このようなものに限定されない。例えば、液媒体として、水を実質的に含まない溶媒を用いてもよい。この場合、液媒体としては、例えば、前述した有機溶媒等を用いることができる。
【０１０９】
また、本発明のインクは、前述したようなインクジェット記録方法、インクジェット記録装置に用いられるものに限定されず、例えば、ペン等の筆記具に用いられるものであってもよい。
【０１１０】
また、本発明のインクジェット記録方法、インクジェット記録装置においては、複数種のインクを吐出するような構成のものであってもよい。この場合、少なくとも一種のインクが、前述したような多環芳香族ヘテロ共役系化合物を含むものであればよい。
【０１１１】
【実施例】
次に、本発明の具体的実施例について説明する。
【０１１２】
［インクの調製］
（実施例１）
まず、色材としてのＣ．Ｉ．ピグメントブルー１５：３と、多環芳香族ヘテロ共役系化合物としてのβ−カルボリン（式（Ｉ）で表される化合物、平均分子量Ｍｗ：１６８）と、スチレンアクリル酸共重合体と、スクロースと、マルチトールと、グリセリンと、ジエチレングリコールと、２−ピロリドンと、サーフィノール４６５と、純水とを用意し、これらを混合した。
これらの混合物を孔径のメンブランフィルタを用いて、加圧ろ過を行うことにより、不溶物を除去し、インクを得た。
【０１１３】
得られたインク中に占める各成分の含有量は、以下の通りである。
Ｃ．Ｉ．ピグメントブルー１５：３　　　２．０重量％
β−カルボリン　　　　　　　　　　　　０．２重量％
スチレンアクリル酸共重合体　　　　　　１．７重量％
スクロース　　　　　　　　　　　　　　０．７重量％
マルチトール　　　　　　　　　　　　　６．３重量％
グリセリン　　　　　　　　　　　　　１０．０重量％
ジエチレングリコール　　　　　　　　　３．０重量％
２−ピロリドン　　　　　　　　　　　　２．０重量％
サーフィノール４６５　　　　　　　　　１．０重量％
純水　　　　　　　　　　　　　　　　　　　　　残部
【０１１４】
（実施例２）
多環芳香族ヘテロ共役系化合物として、１−メチル−β−カルボリン（式（Ｉ）で表される化合物の置換体）、平均分子量Ｍｗ：１８１）を用いた以外は、前記実施例１と同様にしてインクを調製した。
【０１１５】
（実施例３）
多環芳香族ヘテロ共役系化合物として、３−（Ｎ−メチル）カルバモイル−β−カルボリン（式（Ｉ）で表される化合物の置換体、平均分子量Ｍｗ：２２５）を用いた以外は、前記実施例１と同様にしてインクを調製した。
【０１１６】
（実施例４）
インク中に占めるＣ．Ｉ．ピグメントブルー１５：３の含有量を４．０重量％に変更した以外は、前記実施例３と同様にしてインクを調製した。
【０１１７】
（実施例５）
多環芳香族ヘテロ共役系化合物として、９−アミノアクリジン（式（ＩＩ）で表される化合物の置換体、平均分子量Ｍｗ：１９５）を用いた以外は、前記実施例１と同様にしてインクを調製した。
【０１１８】
（実施例６）
多環芳香族ヘテロ共役系化合物として、９−アクリジニルアニリド（式（ＩＩＩ）で表される化合物の置換体、平均分子量Ｍｗ：３９６）を用いた以外は、前記実施例１と同様にしてインクを調製した。
【０１１９】
（実施例７）
多環芳香族ヘテロ共役系化合物として、９−フルオレノン（式（ＩＶ）で表される化合物の置換体、平均分子量Ｍｗ：４１８）を用いた以外は、前記実施例１と同様にしてインクを調製した。
【０１２０】
（実施例８）
多環芳香族ヘテロ共役系化合物として、アントラキノン（式（Ｖ）で表される化合物の置換体、平均分子量Ｍｗ：４１４）を用いた以外は、前記実施例１と同様にしてインクを調製した。
【０１２１】
（実施例９）
多環芳香族ヘテロ共役系化合物として、エチジウム（式（ＶＩ）で表される化合物（ただし、Ｒ＝Ｅｔ、Ｘ＝Ｃｌ−）の置換体、平均分子量Ｍｗ：３４９．５）を用いた以外は、前記実施例１と同様にしてインクを調製した。
【０１２２】
（実施例１０）
多環芳香族ヘテロ共役系化合物として、メチジウム（式（ＶＩ）で表される化合物（ただし、Ｒ＝Ｍｅ、Ｘ＝Ｃｌ−）の置換体、平均分子量Ｍｗ：３３５．５）を用いた以外は、前記実施例１と同様にしてインクを調製した。
【０１２３】
（実施例１１）
多環芳香族ヘテロ共役系化合物として、エリプチシン（式（ＶＩＩ）で表される化合物、平均分子量Ｍｗ：２４６）を用いた以外は、前記実施例１と同様にしてインクを調製した。
【０１２４】
（実施例１２）
多環芳香族ヘテロ共役系化合物として、ハイカントン（式（ＶＩＩＩ）で表される化合物、平均分子量Ｍｗ：３４４）を用いた以外は、前記実施例１と同様にしてインクを調製した。
【０１２５】
（実施例１３）
多環芳香族ヘテロ共役系化合物として、ミトナファイド（式（ＩＸ）で表される化合物、平均分子量Ｍｗ：３１３）を用いた以外は、前記実施例１と同様にしてインクを調製した。
【０１２６】
（実施例１４）
多環芳香族ヘテロ共役系化合物として、ダウノマイシン（式（Ｘ）で表される化合物、平均分子量Ｍｗ：４８７）を用いた以外は、前記実施例１と同様にしてインクを調製した。
【０１２７】
（実施例１５）
多環芳香族ヘテロ共役系化合物として、イミダゾジキノリニウム塩化物（式（ＸＩ）で表されるカチオンを有する化合物（塩化物）、平均分子量Ｍｗ：３２８．５）を用いた以外は、前記実施例１と同様にしてインクを調製した。
【０１２８】
（実施例１６）
多環芳香族ヘテロ共役系化合物として、４−メチル−５−（２−ジメチルアミノ）フェニル−ニュートラルレッド塩化物（式（ＸＩＩ）で表されるカチオンを有する化合物（塩化物）、平均分子量Ｍｗ：３７８．５）を用いた以外は、前記実施例１と同様にしてインクを調製した。
【０１２９】
（比較例１）
多環芳香族ヘテロ共役系化合物を用いなかった以外は、前記実施例２と同様にしてインクを調製した。
【０１３０】
（比較例２）
多環芳香族ヘテロ共役系化合物の代わりに、１−β−ヒドロキシエチル−３−γ−ヒドロキシプロピルウレア（ＨＯ（ＣＨ２）２ＮＨＣＯＮＨ（ＣＨ２）３ＯＨの化学式で表される尿素誘導体）を用いた以外は、前記実施例１と同様にしてインクを調製した。
【０１３１】
［プリンタの作製および印刷］
上記のようにして調製したインクを用いて、インクジェット専用紙（セイコーエプソン社製：ＭＣ写真用紙　半光沢）に、所定のパターンの印刷を施した。
【０１３２】
印刷には、図１〜図３に示すようなプリンタ（インクジェット記録装置）を用いた。
【０１３３】
印刷に用いたプリンタのインクジェットヘッドとしては、１８０ｄｐｉ間隔でノズル孔が形成されたものを用いた。
【０１３４】
実施例１〜１７のインクを用いた場合には、目詰まり等の不都合を生じることなく、インクを安定して吐出することができたのに対し、比較例１、２のインクを用いた場合には、インクの吐出安定性に劣っていた。
【０１３５】
［評価］
得られた各印刷物について、以下のような評価を行った。
【０１３６】
１．目視による評価
各印刷物について、目視により観察し、以下の３段階の基準に従い、評価した。
◎：画像のブロンズ光沢、画質の不自然なテカリ、ムラが全く認められない。
○：画像のブロンズ光沢、画質の不自然なテカリ、ムラがほとんど認められない。
△：画像のブロンズ光沢または画質の不自然なテカリ、ムラがわずかに認められる。
×：画像のブロンズ光沢、画質の不自然なテカリ、ムラがはっきりと認められる。
【０１３７】
２．光沢度差
光沢度計（ミノルタ社製：マルチグロス２６８）を用いて、各印刷物の印刷面について、測定角度６０°で光沢度を求め、以下の４段階の基準に従い、評価した。
◎：光沢度が１０未満。
○：光沢度が１０以上２０未満。
△：光沢度が２０以上３０未満。
×：光沢度が３０以上。
【０１３８】
３．色調
分光光度計（グレタグマクベス社製：スペクトロ・アイ）を用いた測定に基づき、実施例１〜１７および比較例２、３のインクを用いて印刷された印刷物について、比較例１との色差（ΔＥ）を求めた。
これらの評価結果を、表１、表２に示す。
【０１３９】
【表１】
2004067903.tif 000051
【０１４０】
【表２】
2004067903.tif 000052
【０１４１】
表１、表２から明らかなように、実施例１〜１６のインクを用いて印刷された印刷物では、ブロンズ現象の発生が防止されていた。また、実施例４のように色材の含有率が高いインクを用いた場合であっても、安定したインク吐出性を維持しつつ、ブロンズ現象の発生を十分に防止することができる。
【０１４２】
これに対し、比較例のインクを用いて印刷された印刷物では、ブロンズ現象の発生を十分に抑制することができなかった。
【０１４３】
また、色材として、Ｃ．Ｉ．ピグメントバイオレット１９、Ｃ．Ｉ．ピグメントバイオレット３３を用いた以外は、前記と同様にしてインクの調製、プリンタの作製、印刷をし、前記と同様の評価を行った。その結果、前記と同様の結果が得られた。
【０１４４】
【発明の効果】
以上述べたように、本発明によれば、ブロンズ現象の発生を十分に防止・抑制することが可能なインク、インクジェット記録方法およびインクジェット記録装置を提供することができる。
【０１４５】
また、本発明によれば、ブロンズ現象の発生を十分に防止・抑制しつつ、インクの吐出安定性や、インク全体としての耐光性、耐ガス性等も優れたものとなる。
【０１４６】
また、このような効果は、インク中に含まれる多環芳香族ヘテロ共役系化合物の組成、分子量、含有量等を適宜調整することにより、さらに顕著なものとなる。
【図面の簡単な説明】
【図１】本発明のインクジェット記録装置の実施形態を示す斜視図である。
【図２】図１に示すインクジェット記録装置に搭載されたインクジェットヘッドの外観斜視図である。
【図３】図２に示すインクジェットヘッドを図２中の矢印方向から見た断面図である。
【符号の説明】
１……インクジェット記録装置　２……インクジェットヘッド　２１……ノズル板　２１１……薄肉部　２１２……厚肉部　２１３……ノズル孔　２２……キャビティ板　２３……配線板　２４……圧力室　２５……オリフィス　２６……共通インク室　２７……振動板　２８……振動室　２９……個別電極　３……キャリッジ　４……ガイド軸　５……キャリッジモータ　６……ベルト　７……キャップ　８……紙　９……紙送りローラ　１０……紙押えローラ　１１……排出ローラ　３０……インク液滴
【図１】
2004067903.tif 000089
【図２】
2004067903.tif 000090
【図３】
2004067903.tif 000091